(57)【要約】【課題】現場近くでシステムの構成をするに際して、人手がかからずに迅速にできて、いち早く有効な送水活動、消火活動をすることを実現する大容量送水消火システムを提供すること。【解決手段】取水用水中ポンプ、該取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一台の車輌に積載されてなることを特徴とする大容量送水消火システム。【選択図】図１
2015109903.tif 000002
【特許請求の範囲】
【請求項１】
取水用水中ポンプ、該取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一台の車輌に積載されてなることを特徴とする大容量送水消火システム。
【請求項２】
前記取水用水中ポンプ、該取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一つの収納体に収納され、該収納体が前記車輌に積載されてなることを特徴とする請求項１記載の大容量送水消火システム。
【請求項３】
前記取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一台のエンジンにより駆動されるように構成されてなることを特徴とする請求項１または２記載の大容量送水消火システム。
【請求項４】
前記取水用水中ポンプおよび前記取水用水中ポンプの駆動用油圧ポンプが、それぞれ複数台ずつ積載されて構成されてなることを特徴とする請求項３記載の大容量送水消火システム。
【請求項５】
前記取水用水中ポンプおよび前記取水用水中ポンプの駆動用油圧ポンプが、それぞれ２台ずつ積載され、該２台の取水用水中ポンプ駆動用油圧ポンプ、該２台の取水用水中ポンプにより取水された水と消火薬剤を混合する混合装置、該混合装置の駆動用油圧ポンプ、および前記取水用水中ポンプにより取水された水を加圧して送水するブーストポンプが、一台のエンジンにより駆動されるように構成されてなることを特徴とする請求項４記載の大容量送水消火システム。
【請求項６】
前記送水用ブーストポンプの送水量が、１万リットル／分以上であることを特徴とする請求項１〜５のいずれかに記載の大容量送水消火システム。
【請求項７】
前記送水用ブーストポンプの送水量が、２万リットル／分以上であることを特徴とする請求項６に記載の大容量送水消火システム。
【請求項８】
前記消火薬剤が、消火用泡剤であることを特徴とする請求項１〜７のいずれかに記載の大容量送水消火システム。
【発明の詳細な説明】
【技術分野】
【０００１】
本発明は、大容量送水消火システムに関する。
【０００２】
更に詳しくは、川や海、湖沼などの無限水利ポイントから遠隔地へ、例えば、１万リットル／分以上などの大量の水を送水することができて、大規模な石油タンク火災、石油コンビナート火災等に対応することができる大容量送水消火システムに関する。
【背景技術】
【０００３】
従来から、大量の水を遠隔地に運ぶ方法についての検討がされている。
【０００４】
例えば、送水システムとして、数百ｍ〜数ｋｍに及ぶ遠距離送水を簡単な操作で安定に送水可能にする消防装置を提供することを目的として、エンジンを格納したベースユニットと、ベースユニットから独立して任意の場所に搬送自在にすると共に、前記エンジンの動力エネルギーによって遠隔駆動される水中ポンプと、水中ポンプ９の吐出側に連結される消防ホースとから構成した消防装置が提案されている（特許文献１）。
【０００５】
また、口径２００ｍｍ以上の大口径の送水ホースを使用し、かつ、泡剤混合装置を有する大容量泡放水消火システムにおいて、特にホース装着作業を容易にして、消火作業を効率化する泡剤混合装置に関する提案、具体的には、泡剤混合装置の本体を、その搬送用車両に着脱自在とし、かつ地上に揚げ降ろし可能に構成されていて、該泡剤混合装置の本体には泡剤供給ポンプと混合導管とを設け、該混合導管の前後端にそれぞれ送水ホースの装着金具を設けると共に、中間部に泡剤供給ポンプに連通する泡剤の注入口を設けた泡剤混合装置を用いる提案がされている（特許文献２）。
【先行技術文献】
【特許文献】
【０００６】
【特許文献１】特開平７−１８５０３１号公報
【特許文献２】特開２００８−９３１９９号公報
【発明の概要】
【発明が解決しようとする課題】
【０００７】
特に、大規模な石油タンク火災、石油コンビナート火災などに対しては、重大事態に至ることを防ぐために、より迅速にかつ的確で効果的な消火活動をすることが重要である。このような火災では、火災規模が大きくなっていくにつれて、消火作業の困難さが累乗的にもしくはそれ以上に大きくなるからである。
【０００８】
このような大規模な石油タンク火災、石油コンビナート火災などの消火をするに際して必要なのは、一般に、１万リットル／分以上などの大量の水、特に望ましくは２万リットル／分以上などの大量の水であり、さらに、石油火災の消火に顕著な効果を発揮する消火薬剤である。一般的には、該消火薬剤は泡剤であり、燃えている石油面を泡で覆い、空気を遮断して消火をするものである。
【０００９】
すなわち、石油タンク火災、石油コンビナート火災などに対しては、水だけでは消火することができず、火災現場に臨み、放水する水に消火薬剤を混合し、得られる泡混合水を火源に向けて放射し消火にあたる。消火作業は、一般に、少量の放水量で短時間にて終了するということはほとんどなく、大量の放水量で長時間に及ぶことが多い。
【００１０】
すなわち、火災現場に臨み、水と消火薬剤の一方だけがあっても有効な消火活動はできず、二者ともに準備ができてかつそれらの混合ができて、それも必要な放水量に見合うだけ大量にできてはじめて（泡混合水の）有効な放水ができ、消火活動ができる。
【００１１】
こうしたことは、火災現場で、実際の泡混合水の放水をスタートさせるまでの所要時間を左右し、また、消火活動を継続して長時間にわたり行えるか否かの成否に関わる。
【００１２】
この点、特許文献１の提案のものは、専ら数ｋｍなどの遠距離にわたる送水を行うことだけに着目したものであり、泡混合水に関しては何ら教えるものではない。
【００１３】
また、特許文献２に提案のものは、放水車、泡剤混合装置の搬送車などを別々に構成したものであり、このような構成では、火災現場に全ての車輌が到着して、該現場に臨んで初めて、必要な装置（水中ポンプの駆動用ポンプ、泡剤混合装置、送水用ブースターポンプなど）の配置ができ、さらにホースを繋ぐ等の必要ステップの実行ができるものであった。すなわち、泡混合水の放水システム設置のための各ステップの準備や実行に時間と人手を必要とし、作業の迅速さや少人数でも放水の準備活動、消火活動の準備ができることが従来以上で要請されるものであった。
【００１４】
従来は、そうしたことの留意として、泡混合装置を一台の専用搬送車に積載して構成することによって現場での配置に臨機応変さや自由さを与え、その結果として迅速さを得ていたと解されるが、搬送車を運転する人手や、他装置とホースやケーブルで繋ぐなどの作業が要され、常により硬度な迅速さを求めるという点では改善の余地があるものであった。
【００１５】
本発明の目的は、上述したような点に鑑み、現場近くでシステムの構成をするに際して、人手がかからずに迅速にできて、いち早く有効な送水活動、消火活動をすることを実現する大容量送水消火システムを提供することにある。
【課題を解決するための手段】
【００１６】
上述した目的を達成する本発明の大容量送水消火システムは、以下の（１）の構成からなる。
（１）取水用水中ポンプ、該取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一台の車輌に積載されてなることを特徴とする大容量送水消火システム。
【００１７】
かかる本発明の大容量送水消火システムにおいて、好ましくは、以下の（２）〜（８）のいずれかの構成からなる。
（２）前記取水用水中ポンプ、該取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一つの収納体に収納され、該収納体が前記車輌に積載されてなることを特徴とする上記（１）記載の大容量送水消火システム。
（３）前記取水用水中ポンプの駆動用油圧ポンプ、前記取水用水中ポンプにより取水された水と消火薬剤を混合する混合装置、該混合装置の駆動用油圧ポンプ、および前記取水用水中ポンプにより取水された水を加圧して送水するブーストポンプが、一台のエンジンにより駆動されるように構成されてなることを特徴とする上記（１）または（２）記載の大容量送水消火システム。
（４）前記取水用水中ポンプおよび前記取水用水中ポンプの駆動用油圧ポンプが、それぞれ複数台ずつ積載されて構成されてなることを特徴とする上記（３）記載の大容量送水消火システム。
（５）前記取水用水中ポンプおよび前記取水用水中ポンプの駆動用油圧ポンプが、それぞれ２台ずつ積載され、該２台の取水用水中ポンプ駆動用油圧ポンプ、該２台の取水用水中ポンプにより取水された水と消火薬剤を混合する混合装置、該混合装置の駆動用油圧ポンプ、および前記取水用水中ポンプにより取水された水を加圧して送水するブーストポンプが、一台のエンジンにより駆動されるように構成されてなることを特徴とする上記（４）記載の大容量送水消火システム。
（６）前記送水用ブーストポンプの送水量が、１万リットル／分以上であることを特徴とする上記（１）〜（５）のいずれかに記載の大容量送水消火システム。
（７）前記送水用ブーストポンプの送水量が、２万リットル／分以上であることを特徴とする上記（６）に記載の大容量送水消火システム。
（８）前記消火薬剤が、消火用泡剤であることを特徴とする上記（１）〜（７）のいずれかに記載の大容量送水消火システム。
【発明の効果】
【００１８】
請求項１にかかる本発明によれば、現場近くにおいてシステムの構築をするに際して、人手がかからずに迅速にできて、より早く有効な消火活動をすることを実現する大容量送水消火システムを提供することができる。
【００１９】
なお、本発明の大容量送水消火システムは、大規模な石油施設などの火災に対応するときだけに限られず、震災や自然災害などで大量の水を送水することが要請される場合等にも使用することができる。
【００２０】
請求項２にかかる本発明の大容量送水消火システムによれば、現場近くでシステムの構築をするに際して、より迅速にシステム全体の構築をすることを可能とする点で優れたシステムを実現できる。
【００２１】
請求項３にかかる本発明の大容量送水消火システムによれば、システムの構築をするに際して、全般に搬送や準備に人手がかからず迅速にできて、より早く有効な送水活動・消火活動ができる点で優れたシステムを実現できる。
【００２２】
請求項４、同５のいずれかにかかる本発明の大容量送水消火システムによれば、システムの構築をするに際して、全般に搬送や準備に人手がかからず迅速にできて、例えば送水量が２万リットル／分以上などと、特により大量の送水を必要とする際でも、より早く有効な送水活動・消火活動ができる点で優れたシステムを実現できる。
【００２３】
請求項６にかかる本発明の大容量送水消火システムによれば、送水量が１万リットル／分以上と非常に大量の送水を行うときであっても、上述した請求項１記載の本発明の効果をより明確にかつより効果的に得ることができるシステムを実現できる。
【００２４】
請求項７にかかる本発明の大容量送水消火システムによれば、送水量が２万リットル／分以上と、さらに大量の送水を行うときであっても、上述した請求項１記載の本発明の効果をより明確にかつより効果的に得ることができるシステムを実現できる。
【００２５】
請求項８にかかる本発明の大容量送水消火システムによれば、大規模な石油タンク火災、石油コンビナート火災等に対応して、上述した請求項１にかかる本発明の効果を得ることができる。
【図面の簡単な説明】
【００２６】
【図１】本発明の大容量送水消火システムの１実施態様例を説明する概略モデル図である。
【図２】本発明の大容量送水消火システムの他の１実施態様例を説明する概略モデル図である。
【発明を実施するための形態】
【００２７】
以下、図面等を用いて、更に詳しく本発明の大容量送水消火システムについて説明する。
【００２８】
図１に示したように、本発明の大容量送水消火システム１は、取水用水中ポンプ２、該取水用水中ポンプ２の駆動用油圧ポンプ３、該取水用水中ポンプ２により取水され取水送水ホース１４を通って送られてくる水と消火薬剤６を混合する混合装置４、該混合装置４駆動用の油圧ポンプ９、および該消火薬剤６が混合された取水用水中ポンプ２により取水された水、あるいは必要に応じて、取水用水中ポンプ２により取水された水だけでも加圧して送水するブーストポンプ５が、一台の車輌７に積載されてなるものである。図１において、１０は取水用水中ポンプ２の駆動用油圧ホース、１１は川や海、湖沼などの水面であり、１２は地面、１３は取水用水中ポンプ２の駆動用油圧ホース１０のリール、１５は送水ホース、１６は送水である。
【００２９】
本発明の大容量送水消火システム１は、このように大容量送水消火システムを構成するのに重要な要素を一台の車輌７に積載させているため、現場近くまで機材、要員を運び、また、現場近くで機材を使用してシステムの構成をするに際して、人手がかからずに迅速にできて、いち早く有効な送水活動、消火活動をすることを実現することができる。必要な機材が一度で全て揃っていて、かつ、必要な機材間の接続も可能な限り予めしておくことができるので、現場では人手も最小限で、車輌の位置決め、水中ポンプの設置など、さらに送水活動、消火活動を行うことができるのである。
【００３０】
上述の取水用水中ポンプ２、取水用水中ポンプの駆動用油圧ポンプ３、取水用水中ポンプにより取水された水と消火薬剤６を混合する混合装置４、該混合装置４駆動用の油圧ポンプ９、および取水用水中ポンプ２により取水された水を加圧して送水するブーストポンプ５は、一つの収納体８に収納され、該収納体８が車輌７に積載されて、本発明の大容量送水消火システム１を構成することが好ましい。
【００３１】
図１において、該収納体８は２点鎖線で示しているが、特に形状などは限定されず、例えばコンテナボックスのような直方体形式のものが、収納される上述した各種機材を一定位置に固定的に予め配置しておくことが容易であり、また、外装としての文字やマーク等の表示や塗装による色分け表示等をするのにも好適であり、好ましい態様例である。図示したものでは、消火薬剤６を収納体８の外側に配置した態様を描いているが、該消火薬剤６が収納体８内に配置される態様のものでもよい。収納体８の周辺あるいは収納体８の外壁上などの、収納体の外側に配置させている場合には、積載する消火薬剤６を、火災種類に応じて変更をする場合に該変更作業が行いやすいことから好ましい。
【００３２】
また、取水用水中ポンプの駆動用油圧ポンプ３、混合装置４、該混合装置４駆動用の油圧ポンプ９、およびブーストポンプ５は、一台のエンジンＥにより駆動されるように構成されていることが好ましい。これらの機材は互いにリンクさせて駆動させることが有効だからであり、また、スペース的にも有利だからである。それらの各機器を一台のエンジンＥにより駆動されるように構成するのは、市販の電子制御システムなどを使用して構成することができる。
【００３３】
そのときの態様をモデル的に図１に示している。このときのエンジンＥとは車輌７用のエンジンとは相違するものであり、その一つのエンジンシャフトＳを介して、取水用水中ポンプの駆動用油圧ポンプ３、混合装置４、混合装置４駆動用の油圧ポンプ９、およびブーストポンプ５が駆動されるものであり、混合装置４は、該混合装置４の駆動用の油圧ポンプ９が該エンジンシャフトＳにより駆動されることに従って駆動されるものである。
【００３４】
また、例えば、送水量が２万リットル／分以上などと、特により大量の送水を必要とする際でも、より早く有効な送水活動・消火活動を実現する上で、取水用水中ポンプ２および取水用水中ポンプの駆動用油圧ポンプ３が、それぞれ複数台ずつ積載され、該複数台の取水用水中ポンプ２に対応する複数台の駆動用油圧ポンプ３、該複数台の取水用水中ポンプ２により取水された水と消火薬剤を混合する混合装置４、および取水された水を加圧して送水するブーストポンプ５が、一台のエンジンＥにより駆動されるように構成されてなるシステムも好ましい。その態様例を、取水用水中ポンプ２および取水用水中ポンプの駆動用油圧ポンプ３をそれぞれ２台ずつ配置している場合の例として、図２に示している。
【００３５】
該取水用水中ポンプ２および取水用水中ポンプの駆動用油圧ポンプ３は、それぞれ複数台ずつ積載される場合、スペースが確保できるのならば、それぞれ３台以上を配置してもよい。特に、より大量の送水を必要とする際でも、より早く有効な送水活動・消火活動を実現する上で、取水用水中ポンプ２および該取水用水中ポンプの駆動用油圧ポンプ３がより多い組数で積載されていることは有利だからである。
【００３６】
取水用水中ポンプにより取水された水と消火薬剤６を混合する混合装置４は、極力小寸法であるものを使用することが、他機器用のスペースを確保する上で、あるいは複数台を積載するのに有利なので好ましく、また、消火薬剤としても、水に対する混合比率を極力小さくできるものを使用することが好ましい。本発明は、大容量送水消火システムとして、特に送水量が大きなシステムに関するものだからである。具体的には、消火薬剤の水に対する混合比率は、１％〜６％のものを使用するのがよく、より好ましくは１％〜３％程度のものとするのがよい。
【００３７】
本発明において、送水用ブーストポンプ５の送水量は１万リットル／分以上であることが、本発明の効果をより大きく発揮できる点で好ましく、さらに好ましくは、より大規模な石油タンク火災に対応することができる点で１．５万リットル／分以上であることであり、最も好ましくは２万リットル／分以上である。
【００３８】
そうした大容量のものでありながら、一台の車輌７に、送水消火システムを構成するのに必要な要素を積載していることに意義があるのである。
【００３９】
本発明で用いられる消火薬剤は、特に限定されないが、消火用泡剤であることが大規模な石油火災等に対応できるものであることから好ましい。
【符号の説明】
【００４０】
１：大容量送水消火システム
２：取水用水中ポンプ
３：取水用水中ポンプ２の駆動用油圧ポンプ
４：水と消火薬剤を混合する混合装置
５：ブーストポンプ
６：消火薬剤
７：車輌
８：収納体
９：混合装置４用の油圧ポンプ
１０：取水用水中ポンプ２の駆動用油圧ホース
１１：川や海、湖沼などの水面
１２：地面
１３：取水用水中ポンプ２の駆動用油圧ホース１０のリール
１４：取水送水ホース
１５：送水ホース
１６：送水
Ｅ：エンジン
Ｓ：エンジンシャフト
【図１】
2015109903.tif 000003
【図２】
2015109903.tif 000004